(57)【要約】【課題】  建物外部の床や水がかかる場所の床において、互いに隣り合うように床面上に敷設される防水パンの目地部の防水性及び施工性を向上させる防水構造を提供することを目的とする。【解決手段】  床面上に並べて敷設される防水パンの目地部の防水構造１は、互いに間隔を空けて対向する防水パン２の端部にそれぞれ設けられ、防水パン２上面よりも上方に突出するように設けられる立上り部２ａと、隣り合う立上り部２ａを上方から覆い、内部に水密材３ａを有する長尺な固定蓋３と、を備える。【選択図】図１
2018087463.tif 000002
【特許請求の範囲】
【請求項１】
床面上に並べて敷設される防水パンの目地部の防水構造であって、
互いに間隔を空けて対向する前記防水パンの端部にそれぞれ防水パン上面よりも上方に突出するように設けられる立上り部と、
隣り合う前記立上り部を上方から覆い、内部に水密材を有する固定蓋と、を備えることを特徴とする防水パンの目地部の防水構造。
【請求項２】
前記立上り部は、前記防水パン上面よりも上方に突出する突出部と、前記突出部の上端から水平方向に延びて前記水密材に密着する張出片と、を有することを特徴とする請求項１に記載の防水パンの目地部の防水構造。
【請求項３】
前記固定蓋は、前記水密材を一面に有する平板状の板部と、前記板部の両側端から前記水密材を有する方向に折り曲げた側板部と、をさらに有することを特徴とする請求項１又は２のいずれかに記載の防水パンの目地部の防水構造。
【請求項４】
前記固定蓋の前記板部及び前記側板部を覆う抑えカバーを、さらに備えることを特徴とする請求項３に記載の防水パンの目地部の防水構造。
【請求項５】
少なくとも３以上の前記防水パンを床面上に並べて敷設し、互いに隣接する前記防水パン同士の目地部のうち１以上の目地部の上方にパーティションが配置される境界目地部である防水構造であって、
前記境界目地部は、請求項１から４のいずれかに記載の防水パンの目地部の防水構造を備え、
前記境界目地部ではない目地部は、互いに隣り合う前記防水パンの突き合わされた面にそれぞれ設けられていることにより互いに当接する第一水密材と、隣接する前記防水パンの上端縁に跨って、互いに当接した２つの前記第一水密材の上端縁を覆う長尺な第二水密材を含む固定カバーを有する第二の防水パンの目地部の防水構造を備えることを特徴とする防水床構造。
【請求項６】
請求項１から４のいずれかに記載の前記防水パンの目地部の防水構造を有し、前記立上り部の上方にパーティションを配置することを特徴とするバルコニーの防水床構造。
【発明の詳細な説明】
【技術分野】
【０００１】
本発明は、建物外部の床や水がかかる場所の床において、互いに隣り合うように床面上に敷設される防水パンの目地部の防水性及び施工性を向上させる防水構造に関する。
【背景技術】
【０００２】
従来より、バルコニーやベランダのような建物外部の床や、水がかかる場所の床には、水を受ける複数の防水パンを敷設することによって、建築構造部に水が浸入することを防止している。これらの防水パンは、互いに隣り合う防水パン同士を連結することによって使用されるが、防水パンの目地部においては、防水パンの端縁同士に形成された隙間から、水が建物構造部に浸入する恐れがあるため、特に防水対策が講じられている。
【０００３】
例えば、特許文献１では、バルコニーの支持部材上に配置される複数のパネルパン同士を、連結カバーで連結する防水パンが提案されている。この防水パンでは、紐状シールをパネルパンの連結部付近に設けられたシール材保持溝に押し込み、隣り合うパネルパン同士の紐状シールを跨ぐように連結カバーで覆い、連結カバーとシール材保持溝の溝壁面とで紐状シールを挟圧することにより、防水性を保持している。また、連結カバーとパネルパンは、パネルパン間に設置されたスペーサーに固定具によって固定される。
【先行技術文献】
【特許文献】
【０００４】
【特許文献１】特開２０００−７３４４１号公報
【発明の概要】
【発明が解決しようとする課題】
【０００５】
しかしながら、特許文献１の発明では、パネルパンに設置される連結カバーの上面とパネルパンの上面が略面一となっているため、気候や周辺環境の影響を受けて紐状シールが収縮、脆性化した場合、連結カバーとシール材保持溝による挟圧力が弱まり、連結カバーと紐状シールとの隙間から水が容易に浸入する恐れがある。また、連結カバーを固定する固定具を挿通する孔に防水対策が講じられていないため、孔を通じて水が防水パンの裏側に浸入する可能性が高い。さらに従来の発明では、隣り合うパネルパン同士が離隔しているため、施工誤差を吸収しながらパネルパンを敷設することができるが、パネルパンを敷設する際に、スペーサーの位置を調整しながらパネルパンを敷設しなければならず、施工手間がかかるという問題点が挙げられる。
【０００６】
そこで、本発明は、建物外部の床や水がかかる場所の床において、互いに隣り合うように床面上に敷設される防水パンの目地部の防水性及び施工性を向上させる防水構造を提供することを目的とする。
【課題を解決するための手段】
【０００７】
本発明の防水パンの目地部の防水構造は、床面上に並べて敷設される防水パンの目地部の防水構造であって、互いに間隔を空けて対向する前記防水パンの端部にそれぞれ防水パン上面よりも上方に突出するように設けられる立上り部と、隣り合う前記立上り部を上方から覆い、内部に水密材を有する固定蓋と、を備えることを特徴としている。
【０００８】
本発明の防水パンの目地部の防水構造は、前記立上り部は、前記防水パン上面よりも上方に突出する突出部と、前記突出部の上端から水平方向に延びて前記水密材に密着する張出片と、を有することを特徴としている。
【０００９】
本発明の防水パンの目地部の防水構造は、前記固定蓋は、前記水密材を一面に有する平板状の板部と、前記板部の両側端から前記水密材を有する方向に折り曲げた側板部と、をさらに有することを特徴としている。
【００１０】
本発明の防水パンの目地部の防水構造は、前記固定蓋の前記板部及び前記側板部を覆う抑えカバーを、さらに備えることを特徴としている。
【００１１】
本発明の防水床構造は、少なくとも３以上の防水パンを床面上に並べて敷設し、互いに隣接する前記防水パン同士の目地部のうち１以上の目地部の上方にパーティションが配置される境界目地部である防水構造であって、前記境界目地部は、請求項１から４のいずれかに記載の防水パンの目地部の防水構造を備え、前記境界目地部ではない目地部は、互いに隣り合う前記防水パンの突き合わされた面にそれぞれ設けられていることにより互いに当接する第一水密材と、隣接する前記防水パンの上端縁に跨って、互いに当接した２つの前記第一水密材の上端縁を覆う長尺な第二水密材を含む固定カバーを有する第二の防水パンの目地部の防水構造を備えることを特徴としている。
【００１２】
本発明のバルコニーの防水床構造は、請求項１から４のいずれかに記載の前記防水パンの目地部の防水構造を有し、前記立上り部の上方にパーティションを配置することを特徴としている。
【発明の効果】
【００１３】
本発明の防水パンの目地部の防水構造によると、防水パンの上面よりも上方に突出するように設けられる立上り部が、互いに間隔を空けて対向する防水パンの端部に設けられ、水密材を有する固定蓋が、隣り合う立上り部を上方から覆うので、防水パンの上面から離れた位置で防水構造を構築することができ、防水パンの上面に流れ落ちた水が、互いに対向する防水パンの端部から防水パン下部へ侵入することを防止できる。また、万が一固定蓋の水密材が劣化しても、立上り部を設けているため、水の防水パン下部への浸入を遅らせることができ、防水性を向上させることができる。さらに、隣り合う防水パンは、所定間隔離隔して配置されるので、施工誤差を吸収しながら施工を行うことができる。
【００１４】
本発明の防水パンの目地部の防水構造によると、突出部は、防水パンの上面よりも上方に突出し、張出片は、突出部の上端に形成されて水密材と密着するので、防水パンの上面から離れた位置で防水構造を構築することができ、防水性を向上させることができる。また、張出片は、水密材に対して水平に形成されるので、確実に水密材を張出片に密着させることができ、安定した防水構造を構築することができる。
【００１５】
本発明の防水パンの目地部の防水構造によると、水密材は板部の一面に設けられ、側板部は板部の両側端から水密材を有する方向に折り曲げられているので、側板部は、水密材の側面を覆うことができる。したがって、水密材が日射や風雨に直接さらされることを防止でき、水密材の劣化を遅らせることができる。
【００１６】
本発明の防水パンの目地部の防水構造によると、抑えカバーは、固定蓋の板部及び側板部を覆うので、固定蓋が立上り部から外れることを防ぐことができる。また、固定蓋を立上り部に固定するために、防水パンに貫通孔を設けたり、防水パンを敷設する前に事前に部材を設置する必要がないので、防水パンの防水性を保持できるとともに、施工性をも向上させることができる。
【００１７】
本発明の防水床構造によると、境界目地部は、請求項１から４のいずれかに記載の防水パンの目地部の防水構造を有するとともに上方にパーティションを設置され、境界目地部ではない目地部には、互いに当接する２つの第一水密材を、第二水密材で上方から覆う防水パンの目地部の防水構造を有しているので、パーティションによって間仕切られる境界目地部には、段差のある目地部の防水構造を設けることができ、境界目地部ではない目地部には、略平坦な目地部の防水構造を設けることができる。したがって、防水パンの防水性を保持しつつ、状況に応じて設計自由度の高い空間を形成することができる。
【００１８】
本発明のバルコニーの防水床構造によると、請求項１から請求項４のいずれかに記載の防水パンの目地部の防水構造を有しているので、水が、バルコニー床に敷設される防水パンの目地部からバルコニー床に侵入することを防止することができる。また、各住戸のバルコニー間を、パーティションを設置した境界目地部で区切ることができ、防水パンの上に流れ落ちた水が、段差のある目地部の防水構造によって、隣接する住戸の防水パンへ流出することを防止でき、住居者間のトラブルを防ぐことができる。また、２種類の目地部の防水構造を併用することで、防水パンの防水性を保持しつつ設計自由度の高いバルコニー空間を形成することができる。
【図面の簡単な説明】
【００１９】
【図１】防水パンの目地部の防水構造を示す断面図。
【図２】防水パンの目地部の防水構造を示す平面図。
【図３】防水パンの設置状況を示す断面図。
【図４】図３と直交する方向の防水パンの断面図。
【図５】固定蓋の全体斜視図。
【図６】固定蓋の防水パンへの設置状況を示す斜視図。
【図７】抑えカバーの下方からの斜視図。
【図８】抑えカバーの固定蓋への設置状況を示す斜視図。
【図９】防水床構造を示す断面図。
【図１０】防水床構造を示す平面図。
【図１１】防水パンの設置状況を示す断面図。
【図１２】図１１と直交する方向の防水パンの断面図。
【図１３】固定カバーの形状を示す斜視図。
【図１４】固定蓋及び固定カバーの防水パンへの設置状況を示す断面図。
【図１５】抑えカバーの固定蓋への設置状況及び固定具の防水パンへの設置状況を示す斜視図。
【図１６】第一水密材と第二水密材の当接状況を示す断面図。
【図１７】バルコニーにおけるパーティションの設置状況を示す断面図。
【発明を実施するための形態】
【００２０】
以下、防水パンの目地部の防水構造１の最良の実施形態について各図を参照しつつ説明する。本実施形態の防水パンの目地部の防水構造１は、建物外部の床や水がかかる場所の床において、互いに隣り合うように床面Ｆ１の上に敷設される防水パン２の目地部の防水性を向上させる防水構造である。
【００２１】
防水パンの目地部の防水構造１は、図１〜図２に示すように、互いに間隔を空けて対向する防水パン２の端部にそれぞれ防水パン２の上面よりも上方に突出するように設けられる立上り部２ａと、隣り合う立上り部２ａを上方から覆い、内部に水密材３ａを有する長尺な固定蓋３とを備えている。
【００２２】
防水パン２は、バルコニーやベランダのような建物外部の床や、水がかかる場所の床面上に互いに隣り合うように設置される。図３及び図４に示すように、防水パン２は、互いに間隔を空けて対向する防水パン２の端部に設けられる立上り部２ａと、床面Ｆ１の上に当接する脚部２ｂと、脚部２ｂに支持される床板部２ｃを形成している。また、図示していないが、床板部２ｃの上部には、タイルやシート材で形成された床仕上材を敷設することができる。
【００２３】
立上り部２ａは、互いに間隔を空けて対向する防水パン２の端部にそれぞれ連続して設けられ、防水パン２の上面よりも上方に突出し、床板部２ｃに流れ落ちる水の防水パン２下部への侵入を防止することができる。具体的には、図３に示すように、床板部２ｃの上面よりも上方に突出する突出部２１と、突出部２１の上端から水平に延びて形成される張出片２２とを有している。また、隣り合う張出片２２の上面同士は、面一で形成されている。
【００２４】
突出部２１の床板部２ｃの上面よりも上方に突出する高さや形状は、特に限定されることはない。また、図１等では、張出片２２が、隣り合う立上り部２ａから離反する方向に延びて形成されているが、その形状は特に限定されることはなく、水密材３ａと密着できる形状であれば問題はない。
【００２５】
固定蓋３は、立上り部２ａを上方から覆うことができる長尺な部材である。図５に示すように、水密材３ａと、水密材３ａを一面に有する平板状の板部３ｂと、板部３ｂの両側端から水密材３ａを有する方向に折り曲げた側板部３ｃとを有し、断面Ｃ形状を形成している。また、側板部３ｃは、水密材３ａの側面を覆うことができるので、水密材３ａが日射や風雨に直接さらされることを防止し、水密材３ａの劣化を遅らせることができる。
【００２６】
水密材３ａの材質や固定方法は、特に限定されないが、材質は、水密性、耐久性に優れた硬質樹脂を想定しており、板部３ｂへの固定は、粘着性のある接着剤や両面テープによって行うことができる。また、劣化した場合には、水密材３ａを板部３ｂから剥がし、新たな水密材３ａを張りなおすだけでよい。また、水密材３ａの厚さについても特に限定されない。
【００２７】
また、図７及び８に示す抑えカバー４は、固定蓋３の上方から板部３ｂと側板部３ｃを覆い、側板部３ｃを両側から挟着することによって、固定蓋３を防水パン２に固定することができる。抑えカバー４は、板部３ｂを覆う被覆部４ａと、被覆部４ａの両側端を折り曲げて形成され、側板部３ｃを両側から挟着する狭着部４ｂとを有する断面Ｃ形状の固定具である。抑えカバー４の大きさは特に限定されないが、狭着部４ｂ間同士の幅は、側板部３ｃを上方から挟み込める幅としている。
【００２８】
次に、上述した防水パン２及び固定蓋３を使用する防水パンの目地部の防水構造１の施工手順について説明する。まず、図３に示すように、防水パン２を互いに隣り合うように床面Ｆ１上に敷設する。このとき、隣り合う立上り部２ａが、所定間隔離隔するように防水パン２を配置する。立上り部２ａ同士を離隔させることにより、施工中に生じた施工誤差を吸収することができる。
【００２９】
続いて、図６に示すように、水密材３ａが、立上り部２ａの上方から隣り合う張出片２２の上面を覆うように固定蓋３を立上り部２ａに被せる。そして、水密材３ａが、張出片２２と密着するまで固定蓋３を下方へ押し込み、立上り部２ａに嵌め込む。水密材３ａは、立上り部２ａの張出片２２と密着することで、互いに対向する防水パンの端部から、水が防水パン２の下部に浸入することを防止することができる。また、先述したように、隣り合う張出片２２の上面同士は、面一となるように形成されているので、確実に水密材３ａを張出片２２に密着させることができる。最後に、図８に示すように、抑えカバー４を固定蓋３の上方及び側方から被せる。そして、被覆部４ａが、板部３ｂに当接するまで抑えカバー４を押し込み、狭着部４ｂで側板部３ｃを狭着して、固定蓋３を立上り部２ａに固定する。
【００３０】
なお、図８では、抑えカバー４は、固定蓋３の両端部に嵌め込まれているが、両端部に加えて、抑えカバー４を固定蓋３の中間部に設置してもよい。
【００３１】
先述したように、防水パン２の張出片２２は、突出部２１の上端に設けられているため、水密材３ａと密着した際に、床板部２ｃの上面から離れた位置で防水構造を構築することができ、防水性を向上させることができる。また、立上り部２ａによる段差を設けることによって、万が一水密材３ａが劣化したとしても、床板部２ｃに流れ落ちた水が、互いに対向する防水パン２の端部から防水パン２の下部に侵入することを遅らせることができる。さらに、固定蓋３は、抑えカバー４によって立上り部２ａに狭着固定しているので、防水パン２を傷つけることなく固定蓋３を防水パン２に固定することができる。
【００３２】
次に、前述した防水パンの目地部の防水構造１を用いる防水床構造５について、各図を参照しつつ説明する。本実施形態の防水床構造５は、建物外部の床や水がかかる場所の床において、互いに隣り合うように床面Ｆ２の上に敷設される防水パン６同士を、連結して用いる防水床構造である。
【００３３】
防水床構造５は、図９及び図１０に示すように、少なくとも３以上の防水パン６を床面上に並べて敷設し、互いに隣接する防水パン６同士の目地部のうち１以上の目地部が、その上方にパーティション７が配置される境界目地部８である防水構造である。境界目地部８は、防水パンの目地部の防水構造１を有し、境界目地部８ではない目地部９は、互いに隣り合う防水パン６の突き合わされた面にそれぞれ設けられることにより互いに当接する第一水密材６ａと、互いに当接した２つの第一水密材６ａの上端縁を覆う第二水密材１０ａを含む長尺な固定カバー１０と、を有する防水パンの目地部の防水構造１１を備えている。
【００３４】
なお、本願において、境界目地部８は、互いに隣り合う立上り部２ａ同士の間に形成される空間を指し、目地部９は、互いに隣り合う第一水密材６ａ同士が当接している部分を指す。
【００３５】
防水パン６は、バルコニーやベランダのような建物外部の床や、水がかかる場所の床面上に互いに隣り合うように設置される。図１１及び図１２に示すように、防水パン６は、互いに隣り合う防水パン６と間隔を空けて対向する端部に設けられる立上り部２ａと、互いに隣り合う防水パン６と突き合わされる面に設けられる第一水密材６ａと、第一水密材６ａを支持する支持部６ｂと、床面Ｆ２の上に当接する脚部６ｃと、脚部６ｃに支持される床板部６ｄと、上方に開放した袋状の雌ねじ穴６ｅを備えている。また、互いに隣り合う立上り部２ａ同士の間には境界目地部８が形成され、隣り合う第一水密材６ａ同士は、目地部９を形成している。また、図示していないが、床板部６ｄの上部には、タイルやシート材で形成された床仕上材を敷設することができる。
【００３６】
防水パンの目地部の防水構造１１について説明する。なお、防水パンの目地部の防水構造１については、先述した内容と重複するので説明を省略する。防水パンの目地部の防水構造１１は、図９及び図１０に示すように、互いに隣り合う防水パン６の一方の突き合わされる面にそれぞれ設けられていることにより互いに当接する第一水密材６ａと、隣接する防水パン６の上端縁に跨って、互いに当接した２つの第一気密材６ａの上端縁を覆う長尺な第二水密材１０ａを有する固定カバー１０と、を備えている。
【００３７】
第一水密材６ａは、水が目地部９から防水パン６の下部に浸入することを防止する水密材である。第一水密材６ａは、防水パン６同士が突き合わされる面に連続して設けられ、図１１に示されているように、床板部６ｄの上面よりも上方に突出しており、断面Ｌ型状の支持部６ｂに支持されている。支持部６ｂが第一水密材６ａを支持することにより、第一水密材６ａの位置が拘束されるため、目地部９において安定した防水性を保つことができる。
【００３８】
第一水密材６ａの材質や支持部６ｂへの固定方法は、特に限定されないが、材質は、水密性、耐久性に優れた硬質樹脂を想定しており、支持部６ｂへの固定は、粘着性のある接着剤や両面テープによって行うことができる。また、劣化した場合には、第一水密材６ａを支持部６ｂから剥がして新たな第一水密材６ａを張りなおすだけでよい。
【００３９】
第一水密材６ａの厚さは、特に限定されないが、厚さ３ｍｍ以上を想定している。このような厚さであれば、目地部９からの水の浸入を十分防止することができる。また、第一水密材６ａの床板部６ｄの上面よりも上方に突出する高さについても、特に限定されることはないが、２ｍｍ程度が好適である。このような高さであれば、目地部９を固定カバー１０で覆っても、その上から床仕上材を敷設することができる。
【００４０】
雌ねじ穴６ｅは、目地部９に跨って配置される固定カバー１０を固定する固定具１２と螺合する穴で、穴の内周面には雌ねじが形成される。図１１に示すように、雌ねじ穴６ｅは、床板部６ｄを貫通しない袋状となっているため、水が雌ねじ穴６ｅから防水パン６の下部に侵入することを防止できる。したがって、ねじ穴に特別な防水処理を施さずに防水性を保持することができる。また、雌ねじ穴６ｅは、図１４に示すように、床板部６ｄ上面の固定カバー１０に覆われる範囲に設けられる。
【００４１】
固定カバー１０は、目地部９を上方から覆うことができる長尺な部材である。図１３及び図１４に示されるように、固定カバー１０は、第二水密材１０ａと、第二水密材１０ａを保持する保持部１０ｂと、平板状で幅方向の中央部に第二水密材１０ａを設けた平板部１０ｃと、平板部１０ｃの幅方向の両側端から第二水密材１０ａを設けた方向へ突出し、防水パンの上面と平板部との間に第二水密材１０ａを入れる間隙を形成する当接部１０ｄと、固定カバー１０を防水パン６に固定する固定具１２を挿通するための挿通孔１０ｅと、を有している。
【００４２】
第二水密材１０ａは、第一水密材６ａと密着して、水が目地部９に浸入することを防止する水密材である。図１３に示すように、第二水密材１０ａは、平板部１０ｃの下面の幅方向の中央部に連続して設けられる。また、第二水密材１０ａを保持する保持部１０ｂは、第二水密材１０ａの幅方向の両側端に設けられている。この保持部１０ｂは、第二水密材１０ａの位置を保持して第二水密材１０ａの水平方向のずれを防止することができる。また、保持部１０ｂを設けることで、第二水密材１０ａを配置する位置が明確となり、劣化した第二水密材１０ａを取替える際に、新たな第二水密材１０ａを所望する位置へ容易に配置することができる。
【００４３】
第二水密材１０ａの材質や固定方法は、特に限定されないが、材質は、水密性、耐久性に優れた硬質樹脂を想定しており、平板部１０ｃへの固定は、粘着性のある接着剤や両面テープによって行うことができる。また、劣化した場合には、第二水密材１０ａを平板部１０ｃから剥がし、保持部１０ｂの位置に合わせて新たな第二水密材１０ａを張りなおすだけでよい。
【００４４】
第二水密材１０ａの厚さは、第一水密材６ａの床板部６ｄの上面よりも上方に突出する高さよりも大きくなるように形成されている。その厚さは特に限定されないが、２ｍｍ以上が好適である。このような厚さであれば、第二水密材１０ａが第一水密材６ａの上面を覆った際、第一水密材６ａが第二水密材１０ａに圧着しても、水が第二水密材１０ａと第一水密材６ａとの間に侵入することを十分に防止することができる。
【００４５】
平板部１０ｃは、目地部９を跨いで覆う部分で、図１３及び図１４に示すように、平板状を形成している。また、平板部１０ｃに形成される挿通孔１０ｅは、固定カバー１０を防水パン６に固定する固定具１２を挿通するための孔で、第二水密材１０ａを幅方向に挟む位置に、長手方向に対して一定の間隔で形成されている。挿通孔１０ｅは、固定カバー１０を防水パン６に配置した場合に、先述した防水パン６の雌ねじ穴６ｅと合致する位置に形成されている。
【００４６】
当接部１０ｄは、図９に示すように、平板部１０ｃの幅方向の両側端から第二水密材１０ａを設けた方向へ突出し、防水パン６の上面と平板部１０ｃの間に第二水密材１０ａを入れる間隙を形成する部分である。当接部１０ｄは、固定カバー１０が床板部６ｄに固定される際、平板部１０ｃの幅方向の両端縁が露出することにより、施工者が躓いて転倒したり平板部１０ｃの角部で手指を怪我したりする事故を防止するとともに、美観を損なうことを防止することができる。当接部１０ｃの高さは特に限定されないが、第一水密材６ａが第二水密材１０ａに圧着した状態で、当接部１０ｃが床面部６ｄに当接できるとともに、固定カバー１０を防水パン６に固定した後に、固定カバー１０の上部から床仕上材を敷設することができる高さとなっている。
【００４７】
なお、固定カバー１０を防水パン６に固定する固定具１２は、ビスやネジを想定しているが、同様の性能を有してれば、特にこれに限定されることはない。
【００４８】
続いて、上述した防水パンの目地部の防水構造１及び１１を使用する防水床構造５の施工手順について説明する。まず、図１１に示すように、防水パン６を互いに隣り合うように床面Ｆ２の上に敷設する。このとき、立上り部２ａ同士は所定間隔離隔するように配置されて境界目地部８を形成し、第一水密材６ａ同士は隙間無く当接させて目地部９を形成するようにする。次に、図１４に示すように、立上り部２ａを、立上り部の上方から固定蓋３で覆い、固定蓋３を水密材３ａと張出片２２が密着するまで下方に押し込み、立上り部２ａに嵌め込む。そして、互いに当接している第一水密材６ａの上面を、第二水密材１０ａが跨ぐように固定カバー１０で覆う。
【００４９】
最後に、図１５に示すように、抑えカバー４を固定蓋３の上方から被せる。このとき、被覆部４ａと板部３ｂが当接するまで抑えカバー４を下方に押し込み、狭着部４ｂで側板部３ｃを狭着して、固定蓋３を立上り部２ａに固定する。そして、固定カバー１０の挿通孔１０ｅと防水パン６の雌ねじ穴６ｅの位置を合致させた状態で、固定具１２を挿通孔１０ｅに挿入し、固定具１２を雌ねじ穴６ｅに螺着さて固定カバー１０を防水パン６に固定する。
【００５０】
固定カバー１０を防水パン６に固定することによって、図１６に示すように、床面部の上面よりも上方に突出している第一水密材６ａは、必然的に上部に当接する第二水密材１０ａに圧着することになる。したがって、第一水密材６ａと第二水密材１０ａは強固に密着することができ、より信頼性の高い防水構造を構築することができる。
【００５１】
このように第一水密材６ａの上面を第二水密材１０ａで覆うことにより、第一水密材６ａのみで防水構造を構築するよりも、目地部９の防水性をより向上させることができる。また、第一水密材６ａは、第二水密材１０ａに覆われることで、直接外気に接触する面が減少するので劣化を遅らせることができるとともに、万が一第二水密材１０ａが劣化して防水性能を喪失したとしても、当接し合う第一水密材６ａによって防水性能が保持されているため、水が防水パン６の下部に浸入することはない。つまり、当接し合う第一水密材６ａで一次防水を行い、第一水密材６ａの上面に配置される第二水密材１０ａで二次防水を行うことができるので、より信頼の高い防水構造を構築することができるのである。
【００５２】
また、先述したように、雌ねじ穴６ｅは、床板部６ｄを貫通していないため、固定具１２を防水パン６に固定しても、雌ねじ穴６ｅを通じて水が防水パン６の下部に浸入することはない。
【００５３】
このようにして防水パンの目地部の防水構造１及び１１を構築したのち、図９及び図１７に示すように、防水パンの目地部の防水構造１が形成されている境界目地部８の上方にパーティション７を設置する。その固定方法は特に限定されないが、例えば、パーティション７をバルコニーに設置する場合には、図示するように、外壁Ｗと手摺Ｈに支持をとって固定することができる。
【００５４】
このように、防水パンの目地部の防水構造１及び１１を併用することで、パーティション７によって間仕切られる境界目地部８には段差のある目地部の防水構造を設けることができ、目地部９には、略平坦な目地部の防水構造を設けることができる。したがって、防水パンの防水性を保持しつつ、状況に応じて設計自由度の高い空間を形成することができる。また、この防水床構造５をマンションやアパートの各住戸のバルコニーに使用すると、各住戸のバルコニー間を、上方にパーティション７を設置した境界目地部８で区切ることができ、床板部６ｄの上に流れ落ちた水が、立上り部２ａの段差によって、隣接する住戸の床板部６ｄへ流出することを防止でき、住居者間のトラブルを防ぐことができる。
【００５５】
なお、本発明の実施の形態は上述の形態に限ることなく、本発明の思想の範囲を逸脱しない範囲で適宜変更することができることは云うまでもない。
【産業上の利用可能性】
【００５６】
本発明に係る防水パンの目地部の防水構造は、バルコニーやべランダなどの建物外部床や水がかかる場所の床に好適に用いることが出来る。
【符号の説明】
【００５７】
１、１１      防水パンの目地部の防水構造
２、６      防水パン
２ａ    立上り部
２１    突出部
２２    張出片
３      固定蓋
３ａ    水密材
３ｂ    板部
３ｃ    側板部
４      抑えカバー
５    防水床構造
６ａ    第一水密材
７    パーティション
８    境界目地部
９    目地部
１０    固定カバー
１０ａ  第二水密材
【図１】
2018087463.tif 000003
【図２】
2018087463.tif 000004
【図３】
2018087463.tif 000005
【図４】
2018087463.tif 000006
【図５】
2018087463.tif 000007
【図６】
2018087463.tif 000008
【図７】
2018087463.tif 000009
【図８】
2018087463.tif 000010
【図９】
2018087463.tif 000011
【図１０】
2018087463.tif 000012
【図１１】
2018087463.tif 000013
【図１２】
2018087463.tif 000014
【図１３】
2018087463.tif 000015
【図１４】
2018087463.tif 000016
【図１５】
2018087463.tif 000017
【図１６】
2018087463.tif 000018
【図１７】
2018087463.tif 000019
【手続補正書】
【提出日】平成30年3月20日(2018.3.20)
【手続補正１】
【補正対象書類名】特許請求の範囲
【補正対象項目名】全文
【補正方法】変更
【補正の内容】
【特許請求の範囲】
【請求項１】
床面上に並べて敷設される防水パンの目地部の防水構造であって、
互いに間隔を空けて対向する前記防水パンの端部にそれぞれ防水パン上面よりも上方に突出するように設けられる立上り部と、
水密材と、前記水密材を一面に有する平板状の板部と、前記板部の両側端から前記水密材を有する方向に折り曲げた側板部と、を有し、隣り合う前記立上り部を上方から覆う固定蓋と、
前記固定蓋の前記板部及び前記側板部を覆う抑えカバーと、を備えることを特徴とする防水パンの目地部の防水構造。
【請求項２】
前記立上り部は、前記防水パン上面よりも上方に突出する突出部と、前記突出部の上端から水平方向に延びて前記水密材に密着する張出片と、を有することを特徴とする請求項１に記載の防水パンの目地部の防水構造。
【請求項３】
少なくとも３以上の前記防水パンを床面上に並べて敷設し、互いに隣接する前記防水パン同士の目地部のうち１以上の目地部の上方にパーティションが配置される境界目地部である防水構造であって、
前記境界目地部は、請求項１又は２に記載の防水パンの目地部の防水構造を備え、
前記境界目地部ではない目地部は、互いに隣り合う前記防水パンの突き合わされた面にそれぞれ設けられていることにより互いに当接する第一水密材と、隣接する前記防水パンの上端縁に跨って、互いに当接した２つの前記第一水密材の上端縁を覆う長尺な第二水密材を含む固定カバーを有する第二の防水パンの目地部の防水構造を備えることを特徴とする防水床構造。
【請求項４】
請求項１又は２に記載の前記防水パンの目地部の防水構造を有し、前記立上り部の上方にパーティションを配置することを特徴とするバルコニーの防水床構造。
【手続補正２】
【補正対象書類名】明細書
【補正対象項目名】０００７
【補正方法】変更
【補正の内容】
【０００７】
本発明の防水パンの目地部の防水構造は、床面上に並べて敷設される防水パンの目地部の防水構造であって、互いに間隔を空けて対向する前記防水パンの端部にそれぞれ防水パン上面よりも上方に突出するように設けられる立上り部と、水密材と、前記水密材を一面に有する平板状の板部と、前記板部の両側端から前記水密材を有する方向に折り曲げた側板部と、を有し、隣り合う前記立上り部を上方から覆う固定蓋と、前記固定蓋の前記板部及び前記側板部を覆う抑えカバーと、を備えることを特徴としている。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
本発明の防水床構造は、少なくとも３以上の前記防水パンを床面上に並べて敷設し、互いに隣接する前記防水パン同士の目地部のうち１以上の目地部の上方にパーティションが配置される境界目地部である防水構造であって、前記境界目地部は、請求項１又は２に記載の防水パンの目地部の防水構造を備え、前記境界目地部ではない目地部は、互いに隣り合う前記防水パンの突き合わされた面にそれぞれ設けられていることにより互いに当接する第一水密材と、隣接する前記防水パンの上端縁に跨って、互いに当接した２つの前記第一水密材の上端縁を覆う長尺な第二水密材を含む固定カバーを有する第二の防水パンの目地部の防水構造を備えることを特徴としている。
【手続補正６】
【補正対象書類名】明細書
【補正対象項目名】００１２
【補正方法】変更
【補正の内容】
【００１２】
本発明のバルコニーの防水床構造は、請求項１又は２に記載の前記防水パンの目地部の防水構造を有し、前記立上り部の上方にパーティションを配置することを特徴としている。
【手続補正７】
【補正対象書類名】明細書
【補正対象項目名】００１７
【補正方法】変更
【補正の内容】
【００１７】
本発明の防水床構造によると、境界目地部は、請求項１又は２に記載の防水パンの目地部の防水構造を有するとともに上方にパーティションを設置され、境界目地部ではない目地部には、互いに当接する２つの第一水密材を、第二水密材で上方から覆う防水パンの目地部の防水構造を有しているので、パーティションによって間仕切られる境界目地部には、段差のある目地部の防水構造を設けることができ、境界目地部ではない目地部には、略平坦な目地部の防水構造を設けることができる。したがって、防水パンの防水性を保持しつつ、状況に応じて設計自由度の高い空間を形成することができる。
【手続補正８】
【補正対象書類名】明細書
【補正対象項目名】００１８
【補正方法】変更
【補正の内容】
【００１８】
本発明のバルコニーの防水床構造によると、請求項１又は２に記載の防水パンの目地部の防水構造を有しているので、水が、バルコニー床に敷設される防水パンの目地部からバルコニー床に侵入することを防止することができる。また、各住戸のバルコニー間を、パーティションを設置した境界目地部で区切ることができ、防水パンの上に流れ落ちた水が、段差のある目地部の防水構造によって、隣接する住戸の防水パンへ流出することを防止でき、住居者間のトラブルを防ぐことができる。また、２種類の目地部の防水構造を併用することで、防水パンの防水性を保持しつつ設計自由度の高いバルコニー空間を形成することができる。